(57)【要約】  【課題】塗料容器に関し、刷毛と漏斗を常備し、かつ携帯可能とする。  【解決手段】ペットボトルなどの塗料を入れる容器のキャップより下側に予め嵌めてある合成樹脂製のリングに取付けた環状体を利用して腰のベルトに支持可能としてあるので、腰のベルトに前記環状体を支持することで、塗料入りの容器を常時容易に携帯できる。また、前記の容器中に常時入れておく刷毛を前記キャップに固設してあるので、このキャップを持って刷毛に塗料を付けると直ちに塗布出来る。【選択図】図１
2017190182.tif 000002
【特許請求の範囲】
【請求項１】
ペットボトルなどの塗料を入れる容器のキャップより下側に予め一体に嵌めてある合成樹脂製のリングに取付けた環状の線材を利用して腰のベルトやベルト通しに取付け支持可能としことを特徴とする携帯式の塗料容器。
【請求項２】
前記の容器中に常時入れておく刷毛を前記キャップに固設してあることを特徴とする携帯式の塗料容器。
【請求項３】
前記キャップに固定保持させた漏斗を常備してあることを特徴とする請求項１又は請求項２に記載の携帯式の塗料容器
【発明の詳細な説明】
【技術分野】
【０００１】
本発明は、携帯式の塗料容器に関し、しかも刷毛と漏斗とを常備し、携帯可能とする。  
【背景技術】
【０００２】
特許文献１のように、マニキュアのキャップに塗布用の筆を固設して使用しない時も含めて常時使用可能としたアイデアが開示されている。
【特許文献１】特開２００６−２０４８５９
【発明の概要】
【発明が解決しようとする課題】
【０００３】
ところで、工事などに際して塗装作業をする際は上ったり降りたりするので、塗料容器を常時携帯できると安全である。また、塗料の使用量が多いため、時々塗料を継ぎ足して塗装することも多い。
そのため、塗料の継ぎ足しに備えて漏斗を常備できると便利であり、またキャップを利用して刷毛を常備できると便利である。
本発明の技術的課題は、このような問題に着目して、塗料容器を容易に携帯可能とすると共に漏斗や刷毛も塗料容器に常備可能とすることにある。
【課題を解決するための手段】
【０００４】
本発明の技術的課題は次のような手段によって解決される。請求項１は、ペットボトルなどの塗料を入れる容器のキャップより下側に予め一体に嵌めてある合成樹脂製のリングに取付けた環状の線材を利用して腰のベルトやベルト通しに取付け支持可能としたことを特徴とする携帯式の塗料容器である。
【０００５】
請求項２は、前記の容器中に常時入れておく刷毛を前記キャップに固設してあることを特徴とする携帯式の塗料容器である。
【０００６】
請求項３は、前記キャップに固定保持させた漏斗を常備してあることを特徴とする請求項１又は請求項２に記載の携帯式の塗料容器である。
【発明の効果】
【０００７】
請求項１のように、腰のベルトやベルト通しに前記環状体を支持することで、塗料入りの容器を常時形携帯可能としたので、容易に携帯でき、便利である。
【０００８】
また、請求項２のように、前記の容器中に常時入れておく刷毛を前記キャップに固設してあるので、このキャップを持って刷毛に塗料を付けて塗布できる。
【０００９】
請求項３のように、前記キャップに固定保持させた漏斗を常備してあるので、前記容器の塗料が無くなると、前記漏斗を取り外して直ちに塗料を補充でき能率的である。
【図面の簡単な説明】
【００１０】
【図１】塗料容器の携帯状態を示す斜視図である。
【図２】本発明の詳細を示す断面図である。
【図３】リングの内側に形成された隙間を示す容器口部を示す平面図である。
【図４】本発明の別の実施携帯を示す断面図である。
【発明を実施するための形態】
【００１１】
次に本発明によるキャップ付き塗料容器が実際上どのように具体化されるか実施形態で説明する。図１は、キャップＣ付き塗料容器２の携帯状態を示す図であり、作業者のベルト１に支持した容器２を腰にぶら下げて、容器２中の塗料を塗布する。図２は本発明の詳細を示すべく前記容器２と関連部を断面にした図である。塗料を塗布する刷毛３は、容器２中の軸棒４の先端に取付けてある。ペットボトルなどの容器２はキャップＣで閉じられ、中の塗料Ｐが溢れ出すことはない。刷毛３は、取付け軸棒４を介して、キャップＣの天井壁に取付け固定されている。
【００１２】
このキャップＣに被せる様にして漏斗５を取付けてある。すなわち、漏斗５は、受け皿６と徐々に径が変化する出口円筒部７とから成るのが通常であるが、本発明の出口円筒部７は、キャップＣに被さる部分71は、キャップＣの外径より僅かに大きく、出口端寄り72は容器２の口８に入るように小さい。従って、前記出口円筒部７は、キャップＣに被さる部分71と小径部72との間に、段差73が付いていて、キャップＣは小径部72には入らないが、小径部72が容器口部８に入って、受け皿部材６で受けた塗料を携帯容器２にガイドして継ぎ足すことになる。
【００１３】
キャップＣの下側には、リングＲが一体に付いているが、キャップＣを最初に外す際に、分離される。このように分離された後は、リング部Ｒが残る。この残存リング部Ｒも成樹脂製のため、図３のように僅かではある隙間Ｇが出来て変形する。そのため、前記の残存リング部Ｒ中と口部８との間の僅かな隙間Ｇに細いワイヤーＷを挿通できる。このワイヤーＷをエンドレスの環状に形成して、その中にベルト１を挿通すると、容器２を携帯できる。キャップＣの残存リング部Ｒは、塗料の入った状態でも上部に位置するので、溢れることはない。
【００１４】
図４は、別の実施形態の断面図である。この実施例では、キャップＣの外径が２段に成っていて、キャップＣに外径の小さい支持注９が一体形成されている。一方、漏斗５の前記出口円筒部７は、２段ではなく、支持注９の外径が入る大きさの内径となっている。従って、支持注９が前記出口円筒部７嵌入するように取付けと、簡単には外れない。
なお、この漏斗５は、常時携帯するのではなく、もっと容量の大きい塗料缶に付属させておいてもよい。
【産業上の利用可能性】
【００１５】
以上のように、塗料を入れる容器のキャップより下側に予め一体に嵌めてある合成樹脂製のリングの内側の隙間に挿通して取付けた環状体を利用して腰のベルトに支持可能にしてあるので、腰のベルトに前記環状体を取付けることで、塗料入りの容器を常時容易に携帯できる。また、前記の容器中に常時入れておく刷毛を前記キャップに固設してあるので、このキャップを持って刷毛で塗料を塗布出来る。更に、前記キャップに被せて固定保持してある漏斗を常備してあるので、携帯容器の塗料が無くなると、前記漏斗を取り外して直ちに塗料を補充でき、能率的である。
【符号の説明】
【００１６】
１  ベルト
２  容器
Ｃ  キャップ
Ｐ  塗料
３  刷毛
４  取付け軸
５  漏斗
６  受け皿
７  出口円筒部
71  キャップに被さる部分
72  出口端寄り
８  口部
９  支持柱
Ｒ  残存リング部
Ｗ  線材又はリボン
73  段差
【図１】
2017190182.tif 000003
【図２】
2017190182.tif 000004
【図３】
2017190182.tif 000005
【図４】
2017190182.tif 000006
【手続補正書】
【提出日】平成28年10月21日(2016.10.21)
【手続補正１】
【補正対象書類名】特許請求の範囲
【補正対象項目名】請求項１
【補正方法】変更
【補正の内容】
【請求項１】
ペットボトルのキャップの下端に予めキャップと一体の状態で前記ペットボトルの首部に嵌めてある合成樹脂製のリングであって、初めてペットボトルを開口する際に前記キャップから分離されて残った前記リングに挿通して取付けた環状の線材を利用して人体の腰のベルトやベルト通しに取付け支持可能としたことを特徴とする携帯式の塗料容器。
【手続補正２】
【補正対象書類名】明細書
【補正対象項目名】０００４
【補正方法】変更
【補正の内容】
【０００４】
本発明の技術的課題は次のような手段によって解決される。請求項１は、ペットボトルのキャップの下端に予めキャップと一体の状態で前記ペットボトルの首部に嵌めてある合成樹脂製のリングであって、初めてペットボトルを開口する際に前記キャップから分離されて残った前記リングに挿通して取付けた環状の線材を利用して人体の腰のベルトやベルト通しに取付け支持可能としたことを特徴とする携帯式の塗料容器。
【手続補正３】
【補正対象書類名】明細書
【補正対象項目名】０００７
【補正方法】変更
【補正の内容】
【０００７】
請求項１のように、人体の腰のベルトやベルト通しに前記環状体を支持することで、塗料入りのペットボトルを常時形携帯可能としたので、容易に携帯でき、便利である。前記環状体を挿通して取付けられるリングは、ペットボトルのキャップの下端に予めキャップと一体の状態で前記ペットボトルの首部に嵌めてある合成樹脂製であり、ペットボトルを初めて開口する際に前記キャップと分離されて残ったリングである。
【手続補正書】
【提出日】平成29年3月12日(2017.3.12)
【手続補正１】
【補正対象書類名】特許請求の範囲
【補正対象項目名】全文
【補正方法】変更
【補正の内容】
【特許請求の範囲】
【請求項１】
ペットボトルのキャップの下端に予めキャップと一体の状態で前記ペットボトルの首部に嵌めてある合成樹脂製のリングであって、初めてペットボトルを開口する際に前記キャップから分離されて残った前記リングに挿通して取付けた環状の線材を利用して人体の腰のベルトやベルト通しに取付け支持可能としたことを特徴とする携帯式の塗料容器。
【請求項２】
前記の容器中に常時入れておく刷毛を前記キャップに固設してあることを特徴とする請求項１に記載の携帯式の塗料容器。
【請求項３】
前記キャップに固定保持させた漏斗を常備してあることを特徴とする請求項１又は請求項２に記載の携帯式の塗料容器
【手続補正２】
【補正対象書類名】明細書
【補正対象項目名】０００５
【補正方法】変更
【補正の内容】
【０００５】
本発明の技術的課題は次のような手段によって解決される。請求項１は、ペットボトルのキャップの下端に予めキャップと一体の状態で前記ペットボトルの首部に嵌めてある合成樹脂製のリングであって、初めてペットボトルを開口する際に前記キャップから分離されて残った前記リングに挿通して取付けた環状の線材を利用して人体の腰のベルトやベルト通しに取付け支持可能としたことを特徴とする携帯式の塗料容器である。